(57)【要約】【課題】セロハンテープや粘着層等の接着手段を用いることなく台紙に固定することにより、コストを削減するとともに、接着手段が玩具花火に接着することによる玩具花火の破損を防止することができる玩具花火固定用台紙を提供する。【解決手段】シート状部材１０は、本体部１２と上側折返し部１４と下側折返し部１６とに区画して形成され、本体部１２には、切込み部２１、３０、５０が形成され、これらの切込み部により形成される帯状部Ａ１、Ａ２の裏面側に玩具花火を挿通して玩具花火を固定することができる。また、上側折返し部１４を折り返して片部８５を開口部８６に係止させることにより、上側折返し部１４を固定でき、同様に、下側折返し部１６を折り返して片部８９を開口部９０に係止させることにより、下側折返し部１６を固定でき、よって、玩具花火が上下方向に移動して台紙から脱落するのを防止することができる。【選択図】図１
0003155707.tif 000002
【実用新案登録請求の範囲】
【請求項１】
玩具花火を固定するための玩具花火固定用台紙であって、
略方形状の本体部と、本体部の一方の第１辺部から折れ線を介して連設された上側折返し部と、本体部の該一方の辺部と相対する第２辺部から折れ線を介して連設された下側折返し部とを有し、本体部の第１辺部と直角方向である縦方向の長さが、上側折返し部の縦方向の長さと下側折返し部の縦方向の長さの和よりも長く形成されたシート状部材と、
シート状部材の本体部に形成された玩具花火固定部で、第１辺部と略平行な複数の帯状部形成用切込みを有し、複数の帯状部形成用切込みにおいて互いに隣接する帯状部形成用切込みにより帯状部が形成され、該帯状部の裏面に玩具花火を挿通して該帯状部と本体部における帯状部の縦方向に隣接する領域とで玩具花火を挟んで固定する玩具花火固定部と、
上側折返し部を本体部側に折り返した状態で上側折返し部を本体部に固定する上側折返し部固定部で、上側折返し部と本体部のいずれか一方に、切込みにより形成され該切込みの端部間の折れ線を介して回動可能な上側折返し部固定用片部が形成され、他方に、該上側折返し部固定用片部が係止する開口部が形成された上側折返し部固定部と、
下側折返し部を本体部側に折り返した状態で下側折返し部を本体部に固定する下側折返し部固定部で、下側折返し部と本体部のいずれか一方に、切込みにより形成され該切込みの端部間の折れ線を介して回動可能な下側折返し部固定用片部が形成され、他方に、該下側折返し部固定用片部が係止する開口部が形成された下側折返し部固定部と、
を有することを特徴とする玩具花火固定用台紙。
【請求項２】
玩具花火固定部が、本体部において上側折返し部や下側折返し部を折り返した際に上側折返し部や下側折返し部と重ならない領域に形成されていることを特徴とする請求項１に記載の玩具花火固定用台紙。
【請求項３】
玩具花火固定部が、挾装用片部を形成するための略半円状の切込みで該略半円状の切込みの端部間を結ぶ折れ線が縦方向となるように形成された略半円状の切込みを有し、該略半円状の切込みと該折れ線とで囲まれる挾装用片部により玩具花火を挾装することができることを特徴とする請求項１又は２に記載の玩具花火固定用台紙。
【請求項４】
該挾装用片部を形成するための該略半円状の切込みが、帯状部の領域内に形成されていることを特徴とする請求項３に記載の玩具花火固定用台紙。
【請求項５】
玩具花火固定部が、仕切り用片部を形成するための１又は複数の仕切り用片部形成用切込みで該仕切り用片部形成用切込みの端部間を結ぶ折れ線が縦方向となるように形成された仕切り用片部形成用切込みを有し、該仕切り用片部形成用切込みと該折れ線とで囲まれる仕切り用片部を本体部に対して折り曲げて立設させることにより、縦方向に仕切りを形成することを特徴とする請求項１又は２又は３又は４に記載の玩具花火固定用台紙。
【請求項６】
仕切り用片部形成用切込みが、帯状部の上側折返し部側又は下側折返し部側に形成されていることを特徴とする請求項５に記載の玩具花火固定用台紙。
【請求項７】
玩具花火を固定するための玩具花火固定用台紙であって、
略方形状の本体部と、本体部の一方の第１辺部から折れ線を介して連設された上側折返し部と、本体部の該一方の辺部と相対する第２辺部から折れ線を介して連設された下側折返し部とを有し、本体部の第１辺部と直角方向である縦方向の長さが、上側折返し部の縦方向の長さと下側折返し部の縦方向の長さの和よりも長く形成されたシート状部材と、
シート状部材の本体部における上側折返し部や下側折返し部を折り返した際に上側折返し部や下側折返し部と重ならない領域に形成された玩具花火固定部で、第１辺部と略平行な複数の帯状部形成用切込みを有し、複数の帯状部形成用切込みにおいて互いに隣接する帯状部形成用切込みにより帯状部が形成され、該帯状部の裏面に玩具花火を挿通して該帯状部と本体部における帯状部の縦方向に隣接する領域とで玩具花火を挟んで固定し、挾装用片部を形成するための略半円状の切込みで該略半円状の切込みの端部間を結ぶ折れ線が縦方向となるように形成された略半円状の切込みを帯状部の領域に有し、該略半円状の切込みと該折れ線とで囲まれる挾装用片部により玩具花火を挾装することができ、仕切り用片部を形成するための１又は複数の仕切り用片部形成用切込みで該仕切り用片部形成用切込みの端部間を結ぶ折れ線が縦方向となるように形成された仕切り用片部形成用切込みを帯状部の上側折返し部側又は下側折返し部側に有し、該仕切り用片部形成用切込みと該折れ線とで囲まれる仕切り用片部を本体部に対して折り曲げて立設させることにより、縦方向に仕切りを形成する玩具花火固定部と、
上側折返し部を本体部側に折り返した状態で上側折返し部を本体部に固定する上側折返し部固定部で、上側折返し部と本体部のいずれか一方に、切込みにより形成され該切込みの端部間の折れ線を介して回動可能な上側折返し部固定用片部が形成され、他方に、該上側折返し部固定用片部が係止する開口部が形成された上側折返し部固定部と、
下側折返し部を本体部側に折り返した状態で下側折返し部を本体部に固定する下側折返し部固定部で、下側折返し部と本体部のいずれか一方に、切込みにより形成され該切込みの端部間の折れ線を介して回動可能な下側折返し部固定用片部が形成され、他方に、該下側折返し部固定用片部が係止する開口部が形成された下側折返し部固定部と、
を有することを特徴とする玩具花火固定用台紙。
【請求項８】
仕切り用片部形成用切込みが、縦方向に直線状に形成された第１切込みと、第１切込みの上端から第１切込みに対して屈曲した方向に形成された第２切込みと、第１切込みの下端から第１切込みに対して屈曲した方向に形成された第３切込みとを有し、第２切込みの第１切込みとは反対側の端部と第３切込みの第１切込みとは反対側の端部とを結ぶ折れ線と第１切込みと第２切込みと第３切込みとで囲まれた領域が仕切り用片部となることを特徴とする請求項５又は６又は７に記載の玩具花火固定用台紙。
【請求項９】
帯状部形成用切込みが、上側折返し部に最も近く形成された第１帯状部形成用切込みと、第１帯状部形成用切込みに隣接して形成された第２帯状部形成用切込みと、第２帯状部形成用切込みに隣接して形成され第２帯状部形成用切込みの第１帯状部形成用切込みとは反対側に形成された第３帯状部形成用切込みであり、第１帯状部形成用切込みが、第２帯状部形成用切込み及び第３帯状部形成用切込みよりも横方向に短く形成され、第２帯状部形成用切込みと第３帯状部形成用切込みとが横方向に略同一の長さに形成されていることを特徴とする請求項１又は２又は３又は４又は５又は６又は７又は８に記載の玩具花火固定用台紙。
【請求項１０】
帯状部形成用切込みが、上側折返し部に最も近く形成された第１帯状部形成用切込みと、第１帯状部形成用切込みに隣接して形成された第２帯状部形成用切込みと、第２帯状部形成用切込みに隣接して形成され第２帯状部形成用切込みの第１帯状部形成用切込みとは反対側に形成された第３帯状部形成用切込みと、第２帯状部形成用切込みに隣接して形成され第２帯状部形成用切込みの第１帯状部形成用切込みとは反対側に形成された第４帯状部形成用切込みであり、第１帯状部形成用切込みと第３帯状部形成用切込みと第４帯状部形成用切込みとが、第２帯状部形成用切込みよりも横方向に短く形成され、第３帯状部形成用切込みと第４帯状部形成用切込みとは、第１帯状部形成用切込みの形成位置に対して横方向にずれて形成されていることを特徴とする請求項１又は２又は３又は４又は５又は６又は７又は８に記載の玩具花火固定用台紙。
【考案の詳細な説明】
【技術分野】
【０００１】
本考案は、玩具花火の包装用具に関するものであり、特に、玩具花火固定用の台紙に関するものである。
【背景技術】
【０００２】
従来より、玩具花火を包装する際には、板状の台紙に玩具花火をセロハンテープにより固定し、玩具花火が固定された台紙を袋状部材に収納するのが通常である。例えば、特許文献１においては、玩具花火をセロファンテープ（セロハンテープ）で固定し、セロファンテープにより玩具花火が固定された台紙を外装袋に収納している。
【０００３】
また、特許文献２には、外袋に、玩具花火を内包する複数個の内袋を台紙上に、離脱可能に仮固定した状態で収容してなる玩具花火包装体であって、該内袋の台紙上への仮固定が、内袋裏面と台紙表面との間に介在する粘着層によりなされている玩具花火包装体が開示されている。この特許文献２においては、台紙の上に粘着層により内袋（台紙側の内袋）を仮固定するとともに、台紙に仮固定された内袋の上に粘着層により内袋（表面側の内袋）を仮固定する点が開示されている。
【先行技術文献】
【特許文献】
【０００４】
【特許文献１】実用新案登録第３１０２６５７号公報
【特許文献２】特開２００７−１７０７５５号公報
【考案の概要】
【考案が解決しようとする課題】
【０００５】
しかし、従来のように、玩具花火をセロハンテープにより台紙に固定する方法では、セロハンテープが必要となってしまい、その分のコストが掛かるという問題がある。また、玩具花火を内袋に入れない状態や内袋から一部露出した状態でセロハンテープにより台紙に固定する場合には、セロハンテープが玩具花火自体に接着した状態で台紙に固定されると、セロハンテープを剥がす際に、玩具花火におけるセロハンテープと接着した箇所が破損してしまうおそれがある。
【０００６】
また、特許文献２の場合には、内袋の裏面に粘着剤を塗布するか又は両面粘着テープを貼り付けることにより粘着層を形成しなければならず、その分のコストが掛かるという問題がある。また、台紙側の内袋の上に表面側の内袋を重ねて仮固定する場合に、台紙側の内袋から玩具花火が露出している場合には、表面側の内袋の裏面に形成された粘着層が玩具花火自体に接着してしまい、表面側の内袋を剥がす際に、玩具花火における粘着層と接着した箇所が破損してしまうという問題がある。
【０００７】
そこで、本考案が解決しようとする問題点は、セロハンテープや粘着層等の接着手段を用いることなく台紙に固定することにより、コストを削減するとともに、接着手段が玩具花火に接着することによる玩具花火の破損を防止することができる玩具花火固定用台紙を提供することである。
【課題を解決するための手段】
【０００８】
本考案は上記問題点を解決するために創作されたものであって、第１には、玩具花火を固定するための玩具花火固定用台紙であって、略方形状の本体部と、本体部の一方の第１辺部から折れ線を介して連設された上側折返し部と、本体部の該一方の辺部と相対する第２辺部から折れ線を介して連設された下側折返し部とを有し、本体部の第１辺部と直角方向である縦方向の長さが、上側折返し部の縦方向の長さと下側折返し部の縦方向の長さの和よりも長く形成されたシート状部材と、シート状部材の本体部に形成された玩具花火固定部で、第１辺部と略平行な複数の帯状部形成用切込みを有し、複数の帯状部形成用切込みにおいて互いに隣接する帯状部形成用切込みにより帯状部が形成され、該帯状部の裏面に玩具花火を挿通して該帯状部と本体部における帯状部の縦方向に隣接する領域とで玩具花火を挟んで固定する玩具花火固定部と、上側折返し部を本体部側に折り返した状態で上側折返し部を本体部に固定する上側折返し部固定部で、上側折返し部と本体部のいずれか一方に、切込みにより形成され該切込みの端部間の折れ線を介して回動可能な上側折返し部固定用片部が形成され、他方に、該上側折返し部固定用片部が係止する開口部が形成された上側折返し部固定部と、下側折返し部を本体部側に折り返した状態で下側折返し部を本体部に固定する下側折返し部固定部で、下側折返し部と本体部のいずれか一方に、切込みにより形成され該切込みの端部間の折れ線を介して回動可能な下側折返し部固定用片部が形成され、他方に、該下側折返し部固定用片部が係止する開口部が形成された下側折返し部固定部と、を有することを特徴とする。
【０００９】
この第１の構成の玩具花火固定用台紙においては、玩具花火固定部に設けられた帯状部の裏面に玩具花火を挿通して該帯状部と本体部における帯状部の縦方向に隣接する領域とで玩具花火を挟んで固定する。玩具花火を玩具花火固定用台紙に固定したら、上側折返し部を本体部側に折り返して、上側折返し部固定用片部を該片部が係止する開口部に係止させて、上側折返し部を本体部に固定させ、同様に、下側折返し部を本体部側に折り返して、下側折返し部固定用片部を該片部が係止する開口部に係止させて、下側折返し部を本体部に固定させる。
【００１０】
よって、玩具花火固定用台紙によれば、玩具花火固定部に設けられた帯状部の裏面に玩具花火を挿通することにより、玩具花火を固定でき、セロハンテープや粘着層等の接着手段を用いることなく台紙に固定することにより、接着手段に掛かるコストを削減するとともに、接着手段が玩具花火に接着することによる玩具花火の破損を防止することができる。また、上側折返し部と下側折返し部とを本体部側に折り返して固定することができるので、玩具花火が上下方向に移動して玩具花火固定用台紙から離脱するのを防止することができる。
【００１１】
また、第２には、上記第１の構成において、玩具花火固定部が、本体部において上側折返し部や下側折返し部を折り返した際に上側折返し部や下側折返し部と重ならない領域に形成されていることを特徴とする。よって、上側折返し部や下側折返し部を本体部に固定する際に玩具花火固定部が邪魔になることがない。
【００１２】
また、第３には、上記第１又は第２の構成において、玩具花火固定部が、挾装用片部を形成するための略半円状の切込みで該略半円状の切込みの端部間を結ぶ折れ線が縦方向となるように形成された略半円状の切込みを有し、該略半円状の切込みと該折れ線とで囲まれる挾装用片部により玩具花火を挾装することができることを特徴とする。この挾装用片部により玩具花火を挾装することことにより、玩具花火が横方向に移動してしまうのを防止することができる。
【００１３】
また、第４には、上記第３の構成において、該挾装用片部を形成するための該略半円状の切込みが、帯状部の領域内に形成されていることを特徴とする。よって、帯状部の裏面に挿通された玩具花火を挾装用片部により挾装することにより、帯状部の裏面の領域内で玩具花火が横方向に移動してしまうのを防止することができる。
【００１４】
また、第５には、前記第１から第４までのいずれかの構成において、玩具花火固定部が、仕切り用片部を形成するための１又は複数の仕切り用片部形成用切込みで該仕切り用片部形成用切込みの端部間を結ぶ折れ線が縦方向となるように形成された仕切り用片部形成用切込みを有し、該仕切り用片部形成用切込みと該折れ線とで囲まれる仕切り用片部を本体部に対して折り曲げて立設させることにより、縦方向に仕切りを形成することを特徴とする。このように、縦方向に仕切りを形成することにより、玩具花火が横方向に移動してしまうのを防止することができる。
【００１５】
また、第６には、上記第５の構成において、仕切り用片部形成用切込みが、帯状部の上側折返し部側又は下側折返し部側に形成されていることを特徴とする。よって、帯状部により固定された玩具花火についてさらに横方向に移動してしまうのを防止することができる。
【００１６】
また、第７には、玩具花火を固定するための玩具花火固定用台紙であって、略方形状の本体部と、本体部の一方の第１辺部から折れ線を介して連設された上側折返し部と、本体部の該一方の辺部と相対する第２辺部から折れ線を介して連設された下側折返し部とを有し、本体部の第１辺部と直角方向である縦方向の長さが、上側折返し部の縦方向の長さと下側折返し部の縦方向の長さの和よりも長く形成されたシート状部材と、シート状部材の本体部における上側折返し部や下側折返し部を折り返した際に上側折返し部や下側折返し部と重ならない領域に形成された玩具花火固定部で、第１辺部と略平行な複数の帯状部形成用切込みを有し、複数の帯状部形成用切込みにおいて互いに隣接する帯状部形成用切込みにより帯状部が形成され、該帯状部の裏面に玩具花火を挿通して該帯状部と本体部における帯状部の縦方向に隣接する領域とで玩具花火を挟んで固定し、挾装用片部を形成するための略半円状の切込みで該略半円状の切込みの端部間を結ぶ折れ線が縦方向となるように形成された略半円状の切込みを帯状部の領域に有し、該略半円状の切込みと該折れ線とで囲まれる挾装用片部により玩具花火を挾装することができ、仕切り用片部を形成するための１又は複数の仕切り用片部形成用切込みで該仕切り用片部形成用切込みの端部間を結ぶ折れ線が縦方向となるように形成された仕切り用片部形成用切込みを帯状部の上側折返し部側又は下側折返し部側に有し、該仕切り用片部形成用切込みと該折れ線とで囲まれる仕切り用片部を本体部に対して折り曲げて立設させることにより、縦方向に仕切りを形成する玩具花火固定部と、上側折返し部を本体部側に折り返した状態で上側折返し部を本体部に固定する上側折返し部固定部で、上側折返し部と本体部のいずれか一方に、切込みにより形成され該切込みの端部間の折れ線を介して回動可能な上側折返し部固定用片部が形成され、他方に、該上側折返し部固定用片部が係止する開口部が形成された上側折返し部固定部と、下側折返し部を本体部側に折り返した状態で下側折返し部を本体部に固定する下側折返し部固定部で、下側折返し部と本体部のいずれか一方に、切込みにより形成され該切込みの端部間の折れ線を介して回動可能な下側折返し部固定用片部が形成され、他方に、該下側折返し部固定用片部が係止する開口部が形成された下側折返し部固定部と、を有することを特徴とする。
【００１７】
この第７の構成の玩具花火固定用台紙においては、玩具花火固定部に設けられた帯状部の裏面に玩具花火を挿通して該帯状部と本体部における帯状部の縦方向に隣接する領域とで玩具花火を挟んで固定する。玩具花火を玩具花火固定用台紙に固定したら、上側折返し部を本体部側に折り返して、上側折返し部固定用片部を該片部が係止する開口部に係止させて、上側折返し部を本体部に固定させ、同様に、下側折返し部を本体部側に折り返して、下側折返し部固定用片部を該片部が係止する開口部に係止させて、下側折返し部を本体部に固定させる。
【００１８】
よって、玩具花火固定用台紙によれば、玩具花火固定部に設けられた帯状部の裏面に玩具花火を挿通することにより、玩具花火を固定でき、セロハンテープや粘着層等の接着手段を用いることなく台紙に固定することにより、接着手段に掛かるコストを削減するとともに、接着手段が玩具花火に接着することによる玩具花火の破損を防止することができる。また、上側折返し部と下側折返し部とを本体部側に折り返して固定することができるので、玩具花火が上下方向に移動して玩具花火固定用台紙から離脱するのを防止することができる。
【００１９】
また、玩具花火固定部が、本体部における上側折返し部や下側折返し部を折り返した際に上側折返し部や下側折返し部と重ならない領域に形成されているので、上側折返し部や下側折返し部を本体部に固定する際に玩具花火固定部が邪魔になることがない。また、帯状部の裏面に挿通された玩具花火を挾装用片部により挾装することにより、帯状部の裏面の領域内で横方向に移動してしまうのを防止することができる。また、仕切り用片部形成用切込みが設けられているので、帯状部により固定された玩具花火についてさらに横方向に移動してしまうのを防止することができる。
【００２０】
また、第８には、前記第５から第７までのいずれかの構成において、仕切り用片部形成用切込みが、縦方向に直線状に形成された第１切込みと、第１切込みの上端から第１切込みに対して屈曲した方向に形成された第２切込みと、第１切込みの下端から第１切込みに対して屈曲した方向に形成された第３切込みとを有し、第２切込みの第１切込みとは反対側の端部と第３切込みの第１切込みとは反対側の端部とを結ぶ折れ線と第１切込みと第２切込みと第３切込みとで囲まれた領域が仕切り用片部となることを特徴とする。
【００２１】
また、第９には、前記第１から第８までのいずれかの構成において、帯状部形成用切込みが、上側折返し部に最も近く形成された第１帯状部形成用切込みと、第１帯状部形成用切込みに隣接して形成された第２帯状部形成用切込みと、第２帯状部形成用切込みに隣接して形成され第２帯状部形成用切込みの第１帯状部形成用切込みとは反対側に形成された第３帯状部形成用切込みであり、第１帯状部形成用切込みが、第２帯状部形成用切込み及び第３帯状部形成用切込みよりも横方向に短く形成され、第２帯状部形成用切込みと第３帯状部形成用切込みとが横方向に略同一の長さに形成されていることを特徴とする。
【００２２】
また、第１０には、前記第１から第８までのいずれかの構成において、帯状部形成用切込みが、上側折返し部に最も近く形成された第１帯状部形成用切込みと、第１帯状部形成用切込みに隣接して形成された第２帯状部形成用切込みと、第２帯状部形成用切込みに隣接して形成され第２帯状部形成用切込みの第１帯状部形成用切込みとは反対側に形成された第３帯状部形成用切込みと、第２帯状部形成用切込みに隣接して形成され第２帯状部形成用切込みの第１帯状部形成用切込みとは反対側に形成された第４帯状部形成用切込みであり、第１帯状部形成用切込みと第３帯状部形成用切込みと第４帯状部形成用切込みとが、第２帯状部形成用切込みよりも横方向に短く形成され、第３帯状部形成用切込みと第４帯状部形成用切込みとは、第１帯状部形成用切込みの形成位置に対して横方向にずれて形成されていることを特徴とする。
【考案の効果】
【００２３】
本考案に基づく玩具花火固定用台紙によれば、玩具花火固定用台紙によれば、玩具花火固定部に設けられた帯状部の裏面に玩具花火を挿通することにより、玩具花火を固定でき、セロハンテープや粘着層等の接着手段を用いることなく台紙に固定することにより、接着手段に掛かるコストを削減するとともに、接着手段が玩具花火に接着することによる玩具花火の破損を防止することができる。また、上側折返し部と下側折返し部とを本体部側に折り返して固定することができるので、玩具花火が上下方向に移動して玩具花火固定用台紙から離脱するのを防止することができる。
【図面の簡単な説明】
【００２４】
【図１】玩具花火固定用台紙を示す平面図である（実施例１）。
【図２】玩具花火を固定した状態の玩具花火固定用台紙を示す斜視図である（実施例１）。
【図３】玩具花火を固定した状態の玩具花火固定用台紙の上側折返し部と下側折返し部を折り返して固定してなる玩具花火固定済み台紙を示す斜視図である（実施例１）。
【図４】図３において裏面側から見た状態を示す斜視図である（実施例１）。
【図５】玩具花火固定済み台紙を収納袋に収納する途中状態を示す斜視図である（実施例１）。
【図６】玩具花火固定済み台紙を収納袋に収納してなる玩具花火収納体を示す斜視図である（実施例１）。
【図７】玩具花火固定用台紙を示す平面図である（実施例２）。
【図８】玩具花火を固定した状態の玩具花火固定用台紙を示す斜視図である（実施例２）。
【図９】玩具花火を固定した状態の玩具花火固定用台紙の上側折返し部と下側折返し部を折り返して固定してなる玩具花火固定済み台紙を示す斜視図である（実施例２）。
【図１０】玩具花火固定用台紙を示す平面図である（実施例３）。
【図１１】玩具花火を固定した状態の玩具花火固定用台紙を示す斜視図である（実施例３）。
【図１２】玩具花火を固定した状態の玩具花火固定用台紙の上側折返し部と下側折返し部を折り返して固定してなる玩具花火固定済み台紙を示す斜視図である（実施例３）。
【考案を実施するための形態】
【００２５】
本考案においては、セロハンテープや粘着層等の接着手段を用いることなく台紙に固定することにより、コストを削減するとともに、接着剤や粘着剤が玩具花火に接着することによる玩具花火の破損を防止することができる玩具花火固定用台紙を提供するという目的を以下のようにして実現した。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【実施例１】
【００２６】
本考案の実施例１に基づく玩具花火固定用台紙１は、図１に示すように構成され、板状のシート状部材１０に、被固定物固定部（玩具花火固定部（他の実施例においても同じ））２０と、上側折返し部固定部８３と、下側折返し部固定部８７等を設けた構成となっている。
【００２７】
ここで、シート状部材１０は、方形状（具体的には、長方形状）の板状部材であり、段ボール材又は板紙により形成されている。このシート状部材１０は、横方向（短手方向、Ｘ１−Ｘ２方向）に互いに平行に形成された折れ線１３、１５を介して、３つの領域に区画され、中央に設けられた本体部１２と、本体部１２の上端から折れ線１３を介して連設された上側折返し部１４と、本体部１２の下端から折れ線１５を介して連設された下側折返し部１６とを有している。上側折返し部１４の縦方向（シート状部材１０の長手方向、Ｙ１−Ｙ２方向）の長さと、下側折返し部１６の縦方向（シート状部材１０の長手方向、Ｙ１−Ｙ２方向）の長さの和は、固定された玩具花火が視認できるように、本体部１２の縦方向の長さよりも短く形成されている。
【００２８】
被固定物固定部２０は、本体部１２に設けられ、切込み部（第１帯状部形成用切込み）２１と、切込み部（第２帯状部形成用切込み）３０と、切込み部（第３帯状部形成用切込み）５０と、切込み部７０とを有している。
【００２９】
ここで、玩具花火固定部２０は、本体部１２において上側折返し部１４や下側折返し部１６を折り返した際に上側折返し部１４や下側折返し部１６と重ならない領域に形成されている。これにより、上側折返し部１４や下側折返し部１６を本体部１２に固定する際に玩具花火固定部２０が邪魔になることがない。この点は、実施例２、３ともに同様である。
【００３０】
切込み部２１は、横方向に形成された切込み（帯状部形成用切込み）２２と、切込み２２の途中位置から右下方向に直線状に形成された切込み２４とを有している。この切込み２２は、横方向に直線状を呈し、本体部１２の略中央（つまり、本体部１２の上下方向の略中央位置に形成されるとともに、本体部１２の左右方向の略中央位置に形成されている）に形成されている。なお、切込み２２の両端は、略１／４円弧状に形成されている。また、切込み２４は、切込み２２の左右方向の略中央位置から右下方向に直線状に形成されている。
【００３１】
また、切込み部（帯状部形成用切込み）３０は、切込み部２１の下側に横方向に形成され、中央部分が左右の部分よりも下側にずれた段状に形成され、横方向に形成された切込み３２と、切込み３２の右端から縦方向に下方に形成された切込み３４と、切込み３４の下端から横方向に直線状に形成された切込み３６と、切込み３６の右端から連設された半円状の開口部３８と、開口部３８の右端から横方向に直線状に形成された切込み４０と、切込み４０の右端から縦方向に上方に形成された切込み４２と、切込み４２の上端から横方向に直線状に形成された切込み４４とを有している。切込み３２の左端と切込み４４の右端は、略１／４円弧状に形成され、外側に行くに従い上側に湾曲している。切込み３２の左端は、本体部１２の左端近傍に位置し、切込み４４の右端は、本体部１２の右端近傍に位置している。また、切込み部３０は、全体に左右対称に形成されている。また、切込み部３０の左右方向の長さは、切込み部２１の左右方向の長さよりも長く形成され、また、切込み３６の左端から切込み４０の右端までの長さは、切込み２２の左右方向の長さと略同一に（厳密には、切込み２２の左右方向の長さよりも若干短く）形成されている。また、切込み３６と開口部３８の直線部分と切込み４０とは、直線上に形成されている。
【００３２】
また、切込み部（帯状部形成用切込み）５０は、切込み部３０の下側に横方向に形成され、中央部分が左右の部分よりも下側にずれた段状に形成され、横方向に形成された切込み５２と、切込み５２の右端から縦方向に下方に形成された切込み５４と、切込み５４の下端から横方向に直線状に形成された切込み５６と、切込み５６の右端から縦方向に上方に形成された切込み５８と、切込み５８の上端から横方向に直線状に形成された切込み６０とを有している。切込み５２の左端と切込み６０の右端は、略１／４円弧状に形成され、外側に行くに従い下側に湾曲している。つまり、略１／４円弧状に形成された部分が、切込み部３０とは対称に形成されている。切込み部５０の左右方向の長さ（切込み５２の左端から切込み６０の右端までの長さ）は、切込み部３０の左右方向の長さ（切込み３２の左端から切込み４４の右端までの長さ）と略同一となっていて、切込み５６の左右方向の長さは、切込み３６の左端から切り込み４０の右端までの長さと略同一となっている。なお、切込み５４、５８の長さは、切込み３４、４２の長さよりも長く形成されている。また、切込み５２の右端と切込み６０の左端の間には、折れ線６２が形成され、切込み５２と折れ線６２と切込み６０とは直線状に形成されている。また、切込み部５０は、全体に左右対称に形成されている。
【００３３】
切込み部２１と切込み部３０と切込み部５０とは上記のように形成されていて、切込み部２１と切込み部３０と切込み部５０とが互いに略平行に形成され、切込み部２１と切込み部３０（特に、切込み３６・開口部３８・切込み４０からなる構成要素）との間には、帯状部Ａ１が形成され、切込み部３０と切込み部５０間には、帯状部Ａ２が形成されている。
【００３４】
なお、切込み２２と、切込み３２と、切込み３６と、切込み４０と、切込み４４と、切込み５２と、切込み５６と、切込み６０とは、横方向（Ｘ１−Ｘ２方向）に形成され、互いに平行に形成されている。
【００３５】
また、切込み部７０は、本体部１２の平面視における右下位置に設けられ、互いに平行に横方向に直線状に形成された切込み７２、７４と、切込み７２と切込み７４との間に斜めに直線状に形成された切込み７６とを有している。
【００３６】
また、上側折返し部固定部８３は、上側折返し部１４に形成された切込み８４と、本体部１２に形成された円形の開口部８６により形成され、切込み８４に囲まれた片部（上側折返し部固定用片部）８５を開口部８６に係止させることにより、上側折返し部１４を本体部１２に固定することができるように形成されている。つまり、切込み８４は、円形状の一部を残して円弧状に形成され、上側折返し部１４の上端領域に上辺に沿って間隔を介して複数（図１の例では、４つ）形成されている。また、開口部８６は、上側折返し部１４を本体部１２側に折り返した際に、切込み８４と対応する位置に形成され、片部８５を開口部８６に挿通して、本体部１２と平行になるように折り返すことにより、開口部８６に係止するように形成されている。
【００３７】
なお、上記の説明では、上側折返し部１４に切込み８４による片部８５を形成し、本体部１２に開口部８６を形成するものとしたが、上側折返し部１４に開口部を形成し、本体部１２に切込みによる片部を形成するようにしてもよい。この点は他の実施例においても同様である。ただし、その場合には、開口部に係止した片部が表面側に露出するので、上記の構成（図面に示す構成）とするのが好ましい。
【００３８】
また、下側折返し部固定部８７は、下側折返し部１６に形成された切込み８８と、本体部１２に形成された円形の開口部９０により形成され、切込み８８に囲まれた片部（下側折返し部固定用片部）８９を開口部９０に係止させることにより、下側折返し部１６を本体部１２に固定することができるように形成されている。つまり、切込み８８は、切込み８４と同様に、円形状の一部を残して円弧状に形成され、下側折返し部１６の下辺に上辺に沿って間隔を介して複数（図１の例では、２つ）形成されている。また、開口部９０は、下側折返し部１６を本体部１２側に折り返した際に、切込み８８と対応する位置に形成され、片部８９を開口部９０に挿通して、本体部１２と平行になるように折り返すことにより、開口部９０に係止するように形成されている。
【００３９】
なお、上記の説明では、下側折返し部１６に切込み８８による片部８９を形成し、本体部１２に開口部９０を形成するものとしたが、下側折返し部１６に開口部を形成し、本体部１２に切込みによる片部を形成するようにしてもよい。この点は他の実施例においても同様である。ただし、その場合には、開口部に係止した片部が表面側に露出するので、上記の構成（図面に示す構成）とするのが好ましい。
【００４０】
また、上側折返し部１４を本体部１２側に折り返した状態で、シート状部材１０を吊り下げるための開口部８０、８２が形成されている。つまり、本体部１２の上端付近の左右方向の中央位置には、開口部８０が形成され、上側折返し部１４の下端付近の左右方向の中央位置（つまり、上側折返し部１４を本体部１２に折り返した際に開口部８０と対応する位置）に開口部８２が形成されている。
【００４１】
上記構成の玩具花火固定用台紙１の使用状態について説明する。この玩具花火固定用台紙１には、玩具花火等を固定した後に、上側折返し部１４を本体部１２側に折り返して固定し、下側折返し部１６を本体部１２側に折り返して固定する。すなわち、帯状部Ａ１の裏面側に玩具花火を挿通して、帯状部Ａ１と帯状部Ａ１の上下の本体部１２の領域の間に玩具花火を挟んだ状態とし、帯状部Ａ２の両側の裏面側に玩具花火を挿通して、帯状部Ａ２の両側の領域と帯状部Ａ２の上下の本体部１２の領域の間に玩具花火を挟んだ状態として、玩具花火を固定する。
【００４２】
具体的には、図２に示すように、帯状部Ａ２を表面側に持ち上げて、帯状部Ａ２の左側の領域Ａ２ａの裏面側に玩具花火１０４を挿通して、帯状部Ａ２の領域Ａ２ａと帯状部Ａ２の上下の本体部１２の領域の間に玩具花火１０４（この玩具花火１０４は、玩具花火本体１０４ａを収納袋１０４ｂに収納した状態のものであり、玩具花火１０４が一部露出している）を固定し、帯状部Ａ２の右側の領域Ａ２ｂの裏面側に玩具花火１０６を挿通して、帯状部Ａ２の領域Ａ２ｂと帯状部Ａ２の上下の本体部１２の領域の間に玩具花火１０６（この玩具花火１０６は、玩具花火本体を収納袋に収納した状態のものである）を固定し、その後、帯状部Ａ１を表面側に持ち上げて、帯状部Ａ１の裏面側に玩具花火１００、１０２を挿通して、帯状部Ａ１と帯状部Ａ１の上下の本体部１２の領域の間に玩具花火１００、１０２を挟んだ状態とする。
【００４３】
なお、半円状の開口部３８が設けられているので、帯状部Ａ２や帯状部Ａ１を持ち上げる際に開口部３８の箇所に指を掛止することにより容易に持ち上げることが可能である。また、折れ線６２が設けられているので、折れ線６２よりも下方の片部６３を表面側に若干折り曲げておくことによりこの片部６３を指でつかむことによっても帯状部Ａ２を持ち上げ易くすることができる。
【００４４】
また、切込み部２１には、斜めに切込み２４が形成されているので、この切込み２４に玩具花火の一部を挟んで玩具花火を固定することもできる。
【００４５】
また、切込み部７０には、切込み７２を挟んで両側の片部７０ａ、７０ｂを表面側に起こすことにより、図２に示すように、該片部７０ａ、７０ｂと本体部１２間に被固定物としてのロウソクを固定することができる。
【００４６】
玩具花火等の被固定物を玩具花火固定用台紙１に固定したら、図３、図４に示すように、上側折返し部１４と下側折返し部１６とを折り返して本体部１２に固定する。すなわち、上側折返し部１４を本体部１２の表面側（玩具花火が固定されている側）に折れ線１３を介して折り返し、片部８５を開口部８６に挿通して、図４に示すように、本体部１２と略平行になるように折り返して本体部１２に係止させる。同様に、下側折返し部１６を本体部１２の表面側（玩具花火が固定されている側）に折れ線１５を介して折り返し、片部８８を開口部９０に挿通して、図４に示すように、本体部１２と略平行になるように折り返して本体部１２に係止させる。以上のようにして、図３、図４に示すように、玩具花火固定用台紙１に玩具花火を固定したもの（以下「玩具花火固定済み台紙」とする）３が形成される。
【００４７】
次に、玩具花火固定済み台紙３を図５に示すように収納袋１１０に収納する。この収納袋１１０は、２枚のシート（方形状のシート）１１０ａ、１１０ｂを重ねて三辺を閉じてなる形状を呈し、一辺の側（Ｙ１側）が開口し、開口側とは反対側には、吊り下げ用の開口部１１２が設けられたものである。シート１１０ａの縦方向の長さはシート１１０ｂの縦方向の長さよりも長く形成され、収納袋１１０の開口部側において、シート１１０ａがシート１１０ｂよりも突出している。シート１１０ａにおけるシート１１０ｂよりも突出した部分が、突出部１１０ａ−１となる。シート１１０ｂの縦方向（長手方向、Ｙ１−Ｙ２方向）の長さは、玩具花火固定済み台紙３の縦方向の長さと略同一又は若干長く形成されている。また、収納袋１１０は、横方向には、玩具花火固定済み台紙３を収納できる大きさに形成されている。なお、このシート１１０ａは、透明素材のシート本体（このシート本体は、シート１１０ａと同じ大きさである）の外側の面に被印刷部１２０を印刷して形成したものであり、この被印刷部１２０は、シート１１０ａにおける突出部１１０ａ−１を除く領域に形成され、装飾絵柄（図示せず）や商品の説明書き（図示せず）等を印刷することにより形成されている。また、被印刷部１２０には、図５に示すように、複数の開口部１１６が形成されていて、この開口部１１６の領域には印刷が施されておらず、これにより、透明素材のシート本体を介して、収納袋１１０に収納された玩具花火固定済み台紙３を視認することができ、これにより、外部から玩具花火固定済み台紙３における玩具花火を視認することができるようになっている。また、シート１１０ｂも、透明素材のシート本体（このシート本体は、シート１１０ｂと同じ大きさである）の外側の面の全体に装飾絵柄（図示せず）や商品の説明書き（図示せず）等を印刷したものである。
【００４８】
また、突出部１１０ａ−１の内側の面には、剥離紙により被覆された両面接着テープ（図示せず）が接着して設けられており、玩具花火固定済み台紙３を収納袋１１０に収納したら、剥離紙を剥がした後に、収納袋１１０の突出部１１０ａ−１をシート１１０ｂ側に折り返して、突出部１１０ａ−１をシート１１０ｂの外側の面に両面接着テープを介して接着させることにより、収納袋１１０を閉状態とする。以上のようにして、図６に示すように玩具花火収納体５が形成される。この玩具花火収納体５は、玩具花火固定済み台紙３と収納袋１１０とから構成される。
【００４９】
以上のように、本実施例の玩具花火固定用台紙１においては、互いに略平行に設けられた複数の切込み部２１、３０、５０を設けることにより、帯状部Ａ１又は帯状部Ａ２に挿通して玩具花火を固定することができ、よって、セロハンテープや粘着層等の接着手段を用いることなく台紙に固定することにより、接着手段に掛かるコストを削減するとともに、接着手段が玩具花火に接着することによる玩具花火の破損を防止することができる。
【００５０】
また、上側折返し部１４と下側折返し部１６とを本体部１２側に折り返して固定することができるので、玩具花火が上下方向に移動して玩具花火固定用台紙１から離脱するのを防止することができる。つまり、帯状部Ａ１、Ａ２に玩具花火を挿通した状態では、玩具花火が上下方向に移動するおそれがあるが、上側折返し部１４と下側折返し部１６とを本体部１２側に折り返して固定することにより、そのようなおそれを防止することができる。
【実施例２】
【００５１】
次に、実施例２の玩具花火固定用台紙２０１は、実施例１の玩具花火固定用台紙１と略同様の構成であるが、玩具花火固定用台紙１よりも大きく形成されていて（縦方向、横方向ともに玩具花火固定用台紙１よりも大きく形成されている）、互いに平行に形成された切込み部間の帯状部に半円状の切込みが形成され、また、下側折返し部固定部の数が多く形成されている点が異なる。
【００５２】
すなわち、本考案の実施例２に基づく玩具花火固定用台紙２０１は、図７に示すように構成され、板状のシート状部材２１０に、被固定物固定部２２０と、上側折返し部固定部２８３と、下側折返し部固定部２８７等を設けた構成となっている。
【００５３】
ここで、シート状部材２１０は、大きさが異なる以外は実施例１のシート状部材１０と同様の構成であり、互いに平行に形成された折れ線２１３、２１５を介して、３つの領域に区画され、本体部２１２と、上側折返し部２１４と、下側折返し部２１６とを有した構成となっている。上側折返し部２１４の縦方向の長さと、下側折返し部２１６の縦方向の長さの和は、固定された玩具花火が視認できるように、本体部２１２の縦方向の長さよりも短く形成されている。
【００５４】
また、被固定物固定部２２０は、本体部２１２に設けられ、切込み部（第１帯状部形成用切込み）２２１と、切込み部（第２帯状部形成用切込み）２３０と、切込み部（第３帯状部形成用切込み）２５０と、切込み部２７０とを有している。
【００５５】
切込み部（帯状部形成用切込み）２２１は、実施例１における切込み２２と同様の構成である。すなわち、切込み部２２１は、横方向に直線状を呈し、本体部２１２の略中央に形成されている。なお、切込み部２２１の両端は、略１／４円弧状に形成されている。
【００５６】
また、切込み部（帯状部形成用切込み）２３０は、切込み部２２０の下側に横方向に形成され、中央部分が左右の部分よりも下側にずれた段状に形成されている。すなわち、この切込み部２３０は、実施例１の切込み部３０と略同様に形成され、横方向に形成された切込み２３２と、切込み２３２の右端から縦方向に下方に形成された切込み２３４と、切込み２３４の下端から横方向に直線状に形成された切込み２３６と、切込み２３６の右端から連設された半円状の開口部２３８と、開口部２３８の右端から横方向に直線状に形成された切込み２４０と、切込み２４０の右端から縦方向に上方に形成された切込み２４２と、切込み２４２の上端から横方向に直線状に形成された切込み２４４とを有している。切込み２３２は、実施例１の切込み３２と同様の構成であり、切込み２３４は、実施例１の切込み３４と同様の構成であり、開口部２３８は、実施例１の開口部３８と同様の構成であり、切込み２４０は、実施例１の切込み４０と同様の構成であり、切込み２４２は、実施例１の切込み４２と同様の構成であり、切込み２４４は、実施例１の切込み４４と同様の構成であるので、詳しい説明を省略する。なお、シート状部材２１０は、シート状部材１０よりも大きく形成されているので、切込み部２３０も切込み部３０よりも大きく形成されている。この切込み部２３０は、全体に左右対称に形成されている。
【００５７】
また、切込み部（帯状部形成用切込み）２５０は、切込み部２３０の下側に横方向に形成され、中央部分が左右の部分よりも下側にずれた段状に形成されている。この切込み部２５０は、実施例１の切込み部５０と略同様に形成され、横方向に形成された切込み２５２と、切込み２５２の右端から縦方向に下方に形成された切込み２５４と、切込み２５４の下端から横方向に直線状に形成された切込み２５６と、切込み２５６の右端から縦方向に上方に形成された切込み２５８と、切込み２５８の上端から横方向に直線状に形成された切込み２６０とを有している。切込み２５２は、実施例１の切込み５２と同様の構成であり、切込み２５４は、実施例１の切込み５４と同様の構成であり、切込み２５６は、実施例１の切込み５６と同様の構成であり、切込み２５８は、実施例１の切込み５８と同様の構成であり、切込み２６０は、実施例１の切込み６０と同様の構成であるので、詳しい説明を省略する。また、実施例１の切込み部５０と同様に、切込み２５２の右端と切込み２６０の左端の間には、折れ線２６２が形成され、切込み２５２と折れ線２６２と切込み２６０とは直線状に形成されている。なお、シート状部材２１０は、シート状部材１０よりも大きく形成されているので、切込み部２５０も切込み部５０よりも大きく形成されている。この切込み部２５０は、全体に左右対称に形成されている。
【００５８】
切込み部２２１と切込み部２３０と切込み部２５０とは上記のように形成されていて、切込み部２２１と切込み部２３０と切込み部２５０とが互いに略平行に形成され、切込み部２２１と切込み部２３０（特に、切込み２３６・開口部２３８・切込み２４０からなる構成要素）との間に、帯状部Ａ１１が形成され、切込み部２３０と切込み部２５０との間に、帯状部Ａ１２が形成されている。
【００５９】
なお、切込み部２２１と、切込み２３２と、切込み２３６と、切込み２４０と、切込み２４４と、切込み２５２と、切込み２５６と、切込み２６０とは、横方向（Ｘ１−Ｘ２方向）に形成され、互いに平行に形成されている。
【００６０】
また、切込み部２７０は、実施例１の切込み部７０と同様の構成であり、本体部２１２の平面視における右下位置に設けられ、互いに平行に横方向に直線状に形成された切込みと、それらの切込みの間に斜めに直線状に形成された切込みとを有している。
【００６１】
また、上側折返し部固定部２８３は、上側折返し部２１４に形成された切込み２８４と、本体部２１２に形成された円形の開口部２８６により形成され、切込み２８４に囲まれた片部（上側折返し部固定用片部）２８５を開口部２８６に係止させることにより、上側折返し部２１４を本体部２１２に固定することができるように形成されている。つまり、切込み２８４は、実施例１の切込み８４と同様の構成であり、開口部２８６は、実施例１の開口部８６と同様の構成である。
【００６２】
また、下側折返し部固定部２８７は、下側折返し部２１６に形成された切込み２８８と、本体部２１２に形成された円形の開口部２９０により形成され、切込み２８８に囲まれた片部（下側折返し部固定用片部）２８９を開口部２９０に係止させることにより、下側折返し部２１６を本体部２１２に固定することができるように形成されている。つまり、切込み２８８は、実施例１の切込み８８と同様の構成であり、開口部２９０は、実施例１の開口部９０と同様の構成である。なお、この下側折返し部固定部２８７は、実施例１と異なり、計４つ設けられている。
【００６３】
また、上側折返し部２１４を本体部２１２側に折り返した状態で、シート状部材２１０を吊り下げるための開口部２８０、２８２が形成されている。
【００６４】
また、切込み部２２１と切込み部２３０の間の位置には、半円形状の切込み２９２が形成されていて、該切込み２９２の端部間に設けられた折れ線（この折れ線は縦方向を向いている）と切込み２９２に囲まれた片部（挾装用片部）Ａ３が、該折れ線を介して横方向に回動するようになっている。同様に、切込み部２３０と切込み部２５０の間の左右の位置には、半円形状の切込み２９４と切込み２９６が形成されていて、切込み２９４の端部間に設けられた折れ線（この折れ線は縦方向を向いている）と切込み２９４に囲まれた片部（挾装用片部）Ａ４が、該折れ線を介して横方向に回動するように構成され、また、切込み２９６の端部間に設けられた折れ線（この折れ線は縦方向を向いている）と切込み２９６に囲まれた片部（挾装用片部）Ａ５が、該折れ線を介して横方向に回動するように構成されている。
【００６５】
上記構成の玩具花火固定用台紙２０１の使用状態について説明する。この玩具花火固定用台紙２０１の使用状態は、実施例１の玩具花火固定用台紙１と同様であり、玩具花火等を固定した後に、上側折返し部２１４を本体部２１２側に折り返して固定し、下側折返し部２１６を本体部２１２側に折り返して固定する。すなわち、帯状部Ａ１１の裏面側に玩具花火を挿通して、帯状部Ａ１１と帯状部Ａ１１の上下の本体部２１２の領域の間に玩具花火を挟んだ状態とし、帯状部Ａ１２の両側の裏面側に玩具花火を挿通して、帯状部Ａ１２の両側の領域と帯状部Ａ１２の上下の本体部２１２の領域の間に玩具花火を挟んだ状態として、玩具花火を固定する。
【００６６】
具体的には、図８に示すように、帯状部Ａ１２を表面側に持ち上げて、帯状部Ａ１２の左側の領域Ａ１２ａの裏面側に玩具花火３１０を挿通して、帯状部Ａ２の領域Ａ１２ａと帯状部Ａ１２の上下の本体部２１２の領域の間に玩具花火３１０を固定し、帯状部Ａ１２の右側の領域Ａ１２ｂの裏面側に玩具花火３０６、３０８を挿通して、帯状部Ａ１２の領域Ａ１２ｂと帯状部Ａ１２の上下の本体部２１２の領域の間に玩具花火３０６、３０８を固定し、その後、帯状部Ａ１１を表面側に持ち上げて、帯状部Ａ１１の裏面側に玩具花火３００、３０２、３０４を挿通して、帯状部Ａ１１と帯状部Ａ１１の上下の本体部２１２の領域の間に玩具花火３００、３０２、３０４を挟んだ状態とする。
【００６７】
なお、半円状の開口部２３８が設けられているので、帯状部Ａ１２や帯状部Ａ１１を持ち上げる際に開口部２３８の箇所に指を掛止することにより容易に持ち上げることが可能である。また、折れ線２６２が設けられているので、折れ線２６２よりも下方の片部２６３を表面側に若干折り曲げておくことによりこの片部２６３を指でつかむことによっても帯状部Ａ１２を持ち上げ易くすることができる。
【００６８】
また、本実施例の玩具花火固定用台紙２０１においては、片部Ａ３、Ａ４、Ａ５が設けられているので、玩具花火を固定する際に、これらの片部と該片部の周囲の本体部２１２の領域とによって玩具花火の一部を挟むことができ（図８参照）、これにより、玩具花火の固定状態をより強固にすることができる。
【００６９】
また、切込み部２７０には、実施例１と同様に、被固定物としてのロウソクを固定することができる。
【００７０】
玩具花火等の被固定物を玩具花火固定用台紙２０１に固定したら、その後の作業は実施例１と同様である。すなわち、上側折返し部２１４と下側折返し部２１６とを折り返して本体部２１２に固定する。具体的には、上側折返し部２１４を本体部２１２の表面側（玩具花火が固定されている側）に折れ線２１３を介して折り返し、片部２８５を開口部２８６に挿通して本体部２１２と略平行になるように折り返して本体部２１２に係止させ、同様に、下側折返し部２１６を本体部２１２の表面側（玩具花火が固定されている側）に折れ線２１５を介して折り返し、片部２８８を開口部２９０に挿通して本体部２１２と略平行になるように折り返して本体部２１２に係止させる。以上のようにして、図９に示すように、玩具花火固定用台紙２０１に玩具花火を固定したもの（以下「玩具花火固定済み台紙」とする）２０３が形成される。
【００７１】
次に、実施例１と同様に、玩具花火固定済み台紙２０３を収納袋１１０と同様の構成の収納袋に収納して接着テープ（具体的には、両面接着テープ）により閉じた状態とする。なお、この場合の収納袋は、当然玩具花火固定済み台紙２０３の大きさに合わせて形成される。また、収納袋の一方の面には、上記被印刷部１２０と同様の被印刷部が形成されていて、被印刷部には複数の開口部が形成され、外部から玩具花火固定済み台紙２０３における玩具花火を視認することができるようになっている。以上のようにして、玩具花火固定済み台紙２０３と収納袋からなる玩具花火収納体が形成される。
【００７２】
以上のように、本実施例の玩具花火固定用台紙２０１においては、互いに略平行に設けられた複数の切込み部２２１、２３０、２５０を設けることにより、帯状部Ａ１１又は帯状部Ａ１２に挿通して玩具花火を固定することができ、よって、セロハンテープや粘着層等の接着手段を用いることなく台紙に固定することにより、接着手段に掛かるコストを削減するとともに、接着手段が玩具花火に接着することによる玩具花火の破損を防止することができる。また、片部Ａ３、Ａ４、Ａ５が設けられているので、これらの片部によっても玩具花火を固定することができる。特に、片部Ａ３は帯状部Ａ１１の領域内に形成され、片部Ａ４、Ａ５は、帯状部Ａ１２の領域内に設けられており、それらの帯状部の裏面の領域内で玩具花火が横方向に移動してしまうのを防止することができる。
【００７３】
また、上側折返し部２１４と下側折返し部２１６とを本体部２１２側に折り返して固定することができるので、玩具花火が上下方向に移動して玩具花火固定用台紙２０１から離脱するのを防止することができる。つまり、帯状部Ａ１１、Ａ１２に玩具花火を挿通した状態では、玩具花火が上下方向に移動するおそれがあるが、上側折返し部２１４と下側折返し部２１６とを本体部２１２側に折り返して固定することにより、そのようなおそれを防止することができる。
【実施例３】
【００７４】
次に、実施例３の玩具花火固定用台紙４０１は、実施例２の玩具花火固定用台紙２０１と略同様の構成であるが、玩具花火固定用台紙２０１よりも大きく形成されていて（縦方向、横方向ともに玩具花火固定用台紙２０１よりも大きく形成されている）、切込み部４２１の上側に、切込み部４９１を設けることにより縦方向に伸びた仕切り用片部Ａ２４、Ａ２５が設けられている点が主として異なる。
【００７５】
すなわち、本考案の実施例３に基づく玩具花火固定用台紙４０１は、図１０に示すように構成され、板状のシート状部材４１０に、被固定物固定部４２０と、上側折返し部固定部４８３と、下側折返し部固定部４８７等を設けた構成となっている。
【００７６】
ここで、シート状部材４１０は、大きさが異なる以外は実施例１のシート状部材１０や実施例２のシート状部材２１０と同様の構成であり、互いに平行に形成された折れ線４１３、４１５を介して、３つの領域に区画され、本体部４１２と、上側折返し部４１４と、下側折返し部４１６とを有した構成となっている。上側折返し部４１４の縦方向の長さと、下側折返し部４１６の縦方向の長さの和は、固定された玩具花火が視認できるように、本体部４１２の縦方向の長さよりも短く形成されている。
【００７７】
また、被固定物固定部４２０は、本体部４１２に設けられ、切込み部（第１帯状部形成用切込み）４２１と、切込み部（第２帯状部形成用切込み）４３０と、切込み部（第３帯状部形成用切込み）４５０と、切込み部（第４帯状部形成用切込み）４６０と、切込み部４７０と、切込み部（仕切り用片部形成用切込み）４９１とを有している。
【００７８】
切込み部（帯状部形成用切込み）４２１は、実施例２における切込み部２２１と同様の構成である。すなわち、切込み部４２１は、横方向に直線状を呈し、本体部４１２の略中央に形成されている。なお、切込み部４２１の両端は、略１／４円弧状に形成されている。
【００７９】
また、切込み部（帯状部形成用切込み）４３０は、切込み部４２１の下側に横方向に形成され、中央部分が左右の部分よりも下側にずれた段状に形成されている。すなわち、この切込み部４３０は、実施例１の切込み部３０や実施例２の切込み部２３０と略同様に形成され、横方向に形成された切込み４３２と、切込み４３２の右端から縦方向に下方に形成された切込み４３４と、切込み４３４の下端から横方向に直線状に形成された切込み４３６と、切込み４３６の右端から連設された半円状の開口部４３８と、開口部４３８の右端から横方向に直線状に形成された切込み４４０と、切込み４４０の右端から縦方向に上方に形成された切込み４４２と、切込み４４２の上端から横方向に直線状に形成された切込み４４４とを有している。切込み４３２は、実施例１の切込み３２と同様の構成であり、切込み４３４は、実施例１の切込み３４と同様の構成であり、開口部４３８は、実施例１の開口部３８と同様の構成であり、切込み４４０は、実施例１の切込み４０と同様の構成であり、切込み４４２は、実施例１の切込み４２と同様の構成であり、切込み４４４は、実施例１の切込み４４と同様の構成であるので、詳しい説明を省略する。切込み４３６の左端から切込み４０の右端までの長さは、切込み部４２１の左右方向の長さと略同一に（厳密には、切込み部４２１の左右方向の長さよりも若干短く）形成されている。なお、シート状部材４１０は、シート状部材２１０よりも大きく形成されているので、切込み部４３０も切込み部２３０よりも大きく形成されている。
【００８０】
また、切込み部（帯状部形成用切込み）４５０は、切込み部４３０における切込み４３２の下側に横方向に設けられている。すなわち、切込み部４５０は、横方向に直線状を呈する切込み４５２と、該切込み４５２と連設し、縦方向に伸びた互いに平行な一対の切込み４５４とを有している。切込み４５２の横方向の長さは、切込み４３２の横方向の長さと略同一となっている。切込み４５２の両端は、略１／４円弧状に形成されている。また、一対の切込み４５４は、切込み４５２の左右方向の略中央位置に間隔を介して形成され、上方の端部間には、横方向に折れ線が形成されている。これにより、一対の切込み４５４と切込み４５２と折れ線によって囲まれた片部４５６が折れ線を介して回動し、該片部４５６を表面側に折曲しておくことにより、この片部４５６を指で係止させて、切込み４３２と切込み４５２間の帯状部Ａ２２を持ち上げやすくなる。
【００８１】
なお、一対の切込み４５４からなる片部４５６を形成する代わりに、開口部４３８と同様の半円状の開口部を形成してもよい。
【００８２】
また、切込み部（帯状部形成用切込み）４６０は、切込み部４５０と同様に構成され、切込み部４３０における切込み４４４の下側に横方向に設けられている。すなわち、切込み部４６０は、横方向に直線状を呈する切込み４６２と、該切込み４６２と連設し、縦方向に伸びた互いに平行な一対の切込み４６４とを有している。切込み４６２の横方向の長さは、切込み４４４の横方向の長さと略同一となっている。切込み４６２の両端は、略１／４円弧状に形成されている。切込み４６２の両端を除く部分は、切込み４５２の両端を除く部分と略同一直線状にある。また、一対の切込み４６４は、切込み４６２の左右方向の略中央位置に間隔を介して形成され、上方の端部間には、横方向に折れ線が形成され、一対の切込み４６４と折れ線とによって囲まれた片部４６６が形成されている。
【００８３】
なお、一対の切込み４６４からなる片部４６６を形成する代わりに、開口部４３８と同様の半円状の開口部を形成してもよい。
【００８４】
なお、切込み部４５０と切込み部４６０とは、切込み部４２１の形成位置に対して横方向にずれて形成され、切込み部４５０の右端の横方向の位置は、切込み部４２１の左端の横方向の位置よりも左側に存在し、切込み部４６０の左端の横方向の位置は、切込み部４２１の右端の横方向の位置よりも右側に存在する。また、切込み部４５０と切込み部４６０とは互いに左右対称に形成されている。
【００８５】
切込み部４２１と切込み部４３０と切込み部４５０と切込み部４６０とは上記のように形成されていて、切込み部４２１と切込み部４３０と切込み部４５０（切込み部４６０）とが略平行に形成され、切込み部４２１と切込み部４３０（特に、切込み４３６・開口部４３８・切込み４４０からなる構成要素）との間に、帯状部Ａ２１が形成され、切込み４３２と切込み４５２との間に、帯状部Ａ２２が形成され、切込み４４４と切込み４６２との間に、帯状部Ａ２３が形成されている。
【００８６】
なお、切込み部４２１と、切込み４３２と、切込み４３６と、切込み４４０と、切込み４４４と、切込み４５２と、切込み４６２とは、横方向（Ｘ１−Ｘ２方向）に形成され、互いに平行に形成されている。
【００８７】
また、切込み部４７０は、実施例１の切込み部７０と同様の構成であり、本体部４１２の平面視における右下位置に設けられ、互いに平行に横方向に直線状に形成された切込みと、それらの切込みの間に斜めに直線状に形成された切込みとを有している。
【００８８】
また、切込み部４９１は、複数（具体的には、３つ）の切込み（仕切り用片部形成用切込み）４９２と、複数（具体的には、４つ）の切込み（仕切り用片部形成用切込み）４９４とを有し、３つの切込み４９２と、４つの切込み４９４とが横方向に間隔を介して配設されている。
【００８９】
ここで、切込み４９２は、縦方向に直線状に形成された切込み（第１切込み）４９２ａと、切込み４９２ａの上端から斜め左上方に向けて直線状に形成された切込み（第２切込み）４９２ｂと、切込み４９２ａの下端から斜め左下方に向けて直線状に形成された切込み（第３切込み）４９２ｃとを有し、切込み４９２ｂの端部と切込み４９２ｃの端部間には、縦方向に直線状の折れ線４９２ｄが形成され、切込み４９２と折れ線４９２ｄにより囲まれた仕切り片部Ａ２４が折れ線４９２ｄを介して回動して起立するようになっている。
【００９０】
なお、３つの切込み４９２における最も右側の切込み４９２により形成される仕切り片部Ａ２４における折れ線４９２ｄの横方向の位置は、切込み４３４の横方向の位置と略一致している。
【００９１】
また、切込み４９４は、縦方向に直線状に形成された切込み（第１切込み）４９４ａと、切込み４９４ａの上端から斜め右上方に向けて直線状に形成された切込み（第２切込み）４９４ｂと、切込み４９４ａの下端から斜め右下方に向けて直線状に形成された切込み（第３切込み）４９４ｃとを有し、切込み４９４ｂの端部と切込み４９４ｃの端部間には、縦方向に直線状の折れ線４９４ｄが形成され、切込み４９４と折れ線４９４ｄにより囲まれた仕切り片部Ａ２５が折れ線４９４ｄを介して回動して起立するようになっている。
【００９２】
なお、４つの切込み４９２における左側から２番目の切込み４９４により形成される仕切り片部Ａ２５における折れ線４９４ｄの横方向の位置は、切込み４４２の横方向の位置と略一致している。
【００９３】
この切込み部４９１は、本体部４１２において上側折返し部４１４や下側折返し部４１６を折り返した際に上側折返し部４１４や下側折返し部４１６と重ならない領域に形成されている。
【００９４】
なお、図１０に示すように、展開状態においては、仕切り片部Ａ２４は、折れ線４９２ｄよりも右側に形成され、仕切り片部Ａ２５は、折れ線４９４ｄよりも左側に形成されている。
【００９５】
なお、隣接する仕切り片部Ａ２４、Ａ２５における折れ線４９２ｄ、４９４ｄは、左右方向に等間隔に配置され、これにより、仕切り片部Ａ２４、Ａ２５を立設させた際に、仕切り片部Ａ２４、Ａ２５は等間隔に設けられる。
【００９６】
なお、切込み部４９１は、帯状部Ａ２１、Ａ２２、Ａ２３の上側（上側折返し部４１４側）に設けられているが、帯状部Ａ２１、Ａ２２、Ａ２３の下側（下側折返し部４１６側）に設けてもよい。
【００９７】
また、図１０における３つの切込み４９２のうち、真ん中に位置する切込み４９２を削除し、代わりに、切込み４９４と同様の構成の切込み（以下「第１代替切込み」とする）を最も右側の切込み４９２の左側に間隔を介して隣接して形成し、さらに、４つの切込み４９４のうち、右側から２番目の切込み４９４を削除し、代わりに、切込み４９２と同様の構成の切込み（以下「第２代替切込み」とする）を図１０における左側から２番目の切込み４９４の右側に間隔を介して隣接して形成してもよい。その場合には、切込み４５２の長さを図１０の場合よりも短くして、その右端位置を図１０に示す位置よりもやや左側とし、切込み４５２の右端の横方向の位置を第１代替切込みにより形成される仕切り片部における折れ線の横方向の位置と略一致させ、同様に、切込み４６２の長さを図１０の場合よりも短くして、その左端位置を図１０に示す位置よりもやや右側とし、切込み４６２の左端の横方向の位置を第２代替切込みにより形成される仕切り片部における折れ線の横方向の位置と略一致させるようにする。
【００９８】
また、上側折返し部固定部４８３は、上側折返し部４１４に形成された切込み４８４と、本体部４１２に形成された円形の開口部４８６により形成され、切込み４８４に囲まれた片部（上側折返し部固定用片部）４８５を開口部４８６に係止させることにより、上側折返し部４１４を本体部４１２に固定することができるように形成されている。つまり、切込み４８４は、実施例１の切込み８４と同様の構成であり、開口部４８６は、実施例１の開口部８６と同様の構成である。
【００９９】
また、下側折返し部固定部４８７は、下側折返し部４１６に形成された切込み４８８と、本体部４１２に形成された円形の開口部４９０により形成され、切込み４８８に囲まれた片部（下側折返し部固定用片部）４８９を開口部４９０に係止させることにより、下側折返し部４１６を本体部４１２に固定することができるように形成されている。つまり、切込み４８８は、実施例１の切込み８８と同様の構成であり、開口部４９０は、実施例１の開口部９０と同様の構成である。なお、この下側折返し部固定部４８７は、実施例１と異なり、計４つ設けられている。
【０１００】
また、上側折返し部４１４を本体部４１２側に折り返した状態で、シート状部材４１０を吊り下げるための開口部４８０、４８２が形成されている。
【０１０１】
また、切込み部４２１と切込み部４３０の間の位置には、半円形状の切込み４９６と半円状の切込み４９７が形成されていて、切込み４９６と切込み４９７とが互いに対向して線対称に形成されている。切込み４９６の端部間に設けられた折れ線（この折れ線は縦方向を向いている）と切込み４９６に囲まれた片部（挾装用片部）Ａ２６が、該折れ線を介して横方向に回動するように構成され、また、切込み４９７の端部間に設けられた折れ線（この折れ線は縦方向を向いている）と切込み４９７に囲まれた片部（挾装用片部）Ａ２７が、該折れ線を介して横方向に回動するように構成されている。
【０１０２】
同様に、切込み４３２と切込み部４５０の間の位置には、半円形状の切込み４９８が形成されていて、切込み４９８の端部間に設けられた折れ線（この折れ線は縦方向を向いている）と切込み４９８に囲まれた片部（挾装用片部）Ａ２８が、該折れ線を介して横方向に回動するように構成されている。また、切込み４４４と切込み部４６０の間の左右の位置には、半円形状の切込み４９９が形成されていて、切込み４９９の端部間に設けられた折れ線（この折れ線は縦方向を向いている）と切込み４９９に囲まれた片部（挾装用片部）Ａ２９が、該折れ線を介して横方向に回動するように構成されている。
【０１０３】
上記構成の玩具花火固定用台紙４０１の使用状態について説明する。この玩具花火固定用台紙４０１の使用状態は、実施例１の玩具花火固定用台紙１や実施例２の玩具花火固定用台紙２０１と同様であり、玩具花火等を固定した後に、上側折返し部４１４を本体部４１２側に折り返して固定し、下側折返し部４１６を本体部４１２側に折り返して固定する。すなわち、帯状部Ａ２１の裏面側に玩具花火を挿通して、帯状部Ａ２１と帯状部Ａ２１の上下の本体部４１２の領域の間に玩具花火を挟んだ状態とし、また、帯状部Ａ２２の裏面側に玩具花火を挿通して、帯状部Ａ２２と帯状部Ａ２２の上下の本体部４１２の領域の間に玩具花火を挟んだ状態とし、また、帯状部Ａ２３の裏面側に玩具花火を挿通して、帯状部Ａ２３と帯状部Ａ２３の上下の本体部４１２の領域の間に玩具花火を挟んだ状態として、玩具花火を固定する。なお、仕切り片部Ａ２４、Ａ２５は本体部４１２に対して折り曲げて予め立設した状態としておく。
【０１０４】
具体的には、図１１に示すように、仕切り片部Ａ２４、Ａ２５を立設した状態としておき、帯状部Ａ２１を表面側に持ち上げて、帯状部Ａ２１の裏面側に玩具花火５００、５０２、５０４を挿通して、帯状部Ａ２１と帯状部Ａ２１の上下の本体部４１２の領域の間に玩具花火５００、５０２、５０４を挟んだ状態とし、また、帯状部Ａ２２を表面側に持ち上げて、帯状部Ａ２２の裏面側に玩具花火５０６、５０８を挿通して、帯状部Ａ２２と帯状部Ａ２２の上下の本体部４１２の領域の間に玩具花火５０６、５０８を挟んだ状態とし、また、帯状部Ａ２３を表面側に持ち上げて、帯状部Ａ２３の裏面側に玩具花火５１０、５１２、５１４を挿通して、帯状部Ａ２３と帯状部Ａ２３の上下の本体部４１２の領域の間に玩具花火５１０、５１２、５１４を挟んだ状態とする。
【０１０５】
なお、半円状の開口部４３８が設けられているので、帯状部Ａ２１を持ち上げる際に開口部４３８の箇所に指を掛止することにより容易に持ち上げることが可能である。また、一対の切込み４５４と切込み４５２と折れ線によって囲まれた片部４５６が折れ線を介して回動し、該片部４５６を表面側に折曲しておくことにより、この片部４５６を指で係止させて、帯状部Ａ２２を容易に持ち上げることが可能である。同様に、一対の切込み４６４と切込み４６２と折れ線によって囲まれた片部４６６が折れ線を介して回動し、該片部４６６を表面側に折曲しておくことにより、この片部４６６を指で係止させて、帯状部Ａ２３を容易に持ち上げることが可能である。
【０１０６】
また、本実施例の玩具花火固定用台紙４０１においては、片部Ａ２６、Ａ２７、Ａ２８、Ａ２９が設けられているので、玩具花火を固定する際に、これらの片部と該片部の周囲の本体部４１２の領域とによって玩具花火の一部を挟むことができ（図１１参照）、これにより、玩具花火の固定状態をより強固にすることができる。
【０１０７】
また、切込み部４７０には、実施例１と同様に、被固定物としてのロウソクを固定することができる。
【０１０８】
玩具花火等の被固定物を玩具花火固定用台紙４０１に固定したら、その後の作業は実施例１及び実施例２と同様である。すなわち、上側折返し部４１４と下側折返し部４１６とを折り返して本体部４１２に固定する。具体的には、上側折返し部４１４を本体部４１２の表面側（玩具花火が固定されている側）に折れ線４１３を介して折り返し、片部４８５を開口部４８６に挿通して本体部４１２と略平行になるように折り返して本体部４１２に係止させ、同様に、下側折返し部４１６を本体部４１２の表面側（玩具花火が固定されている側）に折れ線４１５を介して折り返し、片部４８８を開口部４９０に挿通して本体部４１２と略平行になるように折り返して本体部４１２に係止させる。以上のようにして、図１２に示すように、玩具花火固定用台紙４０１に玩具花火を固定したもの（以下「玩具花火固定済み台紙」とする）４０３が形成される。
【０１０９】
次に、実施例１と同様に、玩具花火固定済み台紙４０３を収納袋１１０と同様の構成の収納袋に収納して接着テープ（具体的には、両面接着テープ）により閉じた状態とする。なお、この場合の収納袋は、当然玩具花火固定済み台紙４０３の大きさに合わせて形成される。また、収納袋の一方の面には、上記被印刷部１２０と同様の被印刷部が形成されていて、被印刷部には複数の開口部が形成され、外部から玩具花火固定済み台紙４０３における玩具花火を視認することができるようになっている。以上のようにして、玩具花火固定済み台紙４０３と収納袋からなる玩具花火収納体が形成される。
【０１１０】
以上のように、本実施例の玩具花火固定用台紙４０１においては、互いに略平行に設けられた複数の切込み部４２１、４３０、４５０を設けることにより、帯状部Ａ２１、Ａ２２、Ａ２３に挿通して玩具花火を固定することができ、よって、セロハンテープや粘着層等の接着手段を用いることなく台紙に固定することにより、接着手段に掛かるコストを削減するとともに、接着手段が玩具花火に接着することによる玩具花火の破損を防止することができる。また、片部Ａ２６、Ａ２７、Ａ２８、Ａ２９が設けられているので、これらの片部によっても玩具花火を固定することができる。特に、片部Ａ２６、Ａ２７は帯状部Ａ２１の領域内に形成され、片部Ａ２８は帯状部Ａ２２の領域内に形成され、片部Ａ２９は帯状部Ａ２３の領域内に設けられており、それらの帯状部の裏面の領域内で玩具花火が横方向に移動してしまうのを防止することができる。
【０１１１】
また、本実施例においては、仕切り片部Ａ２４、Ａ２５が設けられているので、これらにより、玩具花火が左右にずれるのを防止することができる。特に、切込み部４９１は、帯状部Ａ２１、Ａ２２、Ａ２３の上側（上側折返し部４１４側）に設けられているので、帯状部Ａ２１、Ａ２２、Ａ２３により固定された玩具花火についてさらに横方向に移動するのを防止することができる。
【０１１２】
また、上側折返し部４１４と下側折返し部４１６とを本体部４１２側に折り返して固定することができるので、玩具花火が上下方向に移動して玩具花火固定用台紙４０１から離脱するのを防止することができる。つまり、帯状部Ａ２１、Ａ２２、Ａ２３に玩具花火を挿通した状態では、玩具花火が上下方向に移動するおそれがあるが、上側折返し部４１４と下側折返し部４１６とを本体部４１２側に折り返して固定することにより、そのようなおそれを防止することができる。
【符号の説明】
【０１１３】
１、２０１、４０１  玩具花火固定用台紙
１０、２１０、４１０  シート状部材
１２、１１２、２１２、４１２  本体部
１３、１５、６２、２１３、２１５、２６２、４１３、４１５  折れ線
１４、２１４、４１４  上側折返し部
１６、２１６、４１６  下側折返し部
２０、２２０、４２０  被固定物固定部
２１、３０、５０、７０、２２１、２３０、２５０、２７０、４２１、４３０、４５０、４７０、４９１  切込み部
２２、２４、３２、３４、３６、４０、４２、４４、５２、５４、５６、５８、６０、７２、７４、７６、８４、８８、２３２、２３４、２３６、２４０、２４２、２４４、２５２、２５４、２５６、２５８、２６０、２８４、２８８、２９２、２９４、２９６、４３２、４３４、４３６、４４０、４４２、４４４、４５２、４５４、４６０、４６２、４６４、４８４、４８８、４９２、４９４  ４９６、４９７、４９８、４９９  切込み
３８、８０、８２、８６、９０、１１６、１１８、１２２、２３８、２８０、２８２、２８６、２９０、４３８、４８０、４８２、４８６、４９０  開口部
８３、２８３、４８３  上側折返し部固定部
６３、７０ａ、７０ｂ、８５、８９、２６３、２８５、２８９、４８５、４８９  片部
８７、２８７、４８７  下側折返し部固定部
Ａ１、Ａ２、Ａ１１、Ａ１２、Ａ２１、Ａ２２、Ａ２３  帯状部
Ａ３、Ａ４、Ａ５、Ａ２４、Ａ２５、Ａ２６、Ａ２７、Ａ２８、Ａ２９  片部
Ａ２４、Ａ２５  仕切り片部
【図１】
0003155707.tif 000003
【図２】
0003155707.tif 000004
【図３】
0003155707.tif 000005
【図４】
0003155707.tif 000006
【図５】
0003155707.tif 000007
【図６】
0003155707.tif 000008
【図７】
0003155707.tif 000009
【図８】
0003155707.tif 000010
【図９】
0003155707.tif 000011
【図１０】
0003155707.tif 000012
【図１１】
0003155707.tif 000013
【図１２】
0003155707.tif 000014